(57)【要約】【課題】気軽に会員になることを促進することができ、確実に本人であることが確認できる見合支援装置および見合支援プログラム並びに見合支援方法を提供する。【解決手段】見合支援装置は、異性との交際を希望する会員の登録した氏名を含む会員情報が表示された確認用画面Ｐ４を、会員が操作する端末装置に送信する。会員が見合いのために予約した飲食店に来訪した際に、端末装置に表示された確認用画面Ｐ４の会員情報と会員が提示した身分証明書が示す情報との一致を、飲食店のスタッフが確認したことにより確認ボタンＢ４１を押下する。確認ボタンＢ４１を押下することで、端末装置から送信された会員本人である旨の確認通知を、見合支援装置が受信すると、会員情報が正しいことを示す情報を会員情報に関連付けて記憶手段に格納する。【選択図】図８
2020086467.tif 000002
【特許請求の範囲】
【請求項１】
異性との交際を希望する会員が登録した氏名を含む会員情報が格納される記憶手段と、
前記会員情報が表示された確認用画面を、前記会員が操作する端末装置に送信する画面送信手段と、
前記会員が見合いのために予約した見合場所に来訪した際に、前記端末装置に表示された前記確認用画面の前記会員情報と前記会員が提示した身分証明書が示す情報との一致を、前記見合場所のスタッフが確認したことによる操作により、前記端末装置から送信された会員本人である旨の確認通知を受信すると、前記会員情報が正しいことを示す情報を前記会員情報に関連付けて前記記憶手段に格納する会員管理手段とを備えた見合支援装置。
【請求項２】
前記会員情報に関連付けて前記見合場所に来訪する会員を認証するための認証コードを発行する発行手段と、前記端末装置に表示された入力用画面であり、前記発行手段が発行した認証コードを入力するための入力用画面から送信された認証コードが、前記発行手段が発行した認証コードと一致するか否かを判定し、一致したときに、前記画面送信手段に前記確認用画面を前記端末装置に送信するよう指示する確認手段とを備えた請求項１記載の見合支援装置。
【請求項３】
前記記憶手段には、前記見合場所の所在地を示す位置情報が格納され、
前記確認手段は、前記認証コードと、更に、前記端末装置の所在を示す測位情報とが、前記端末装置から送信されると、前記認証コードの一致と共に、前記測位情報と前記位置情報とが一致したか否かを判定する請求項２記載の見合支援装置。
【請求項４】
前記確認手段は、前記認証コードと、更に、時刻を示す時間情報とが、前記端末装置から送信されると、前記認証コードの一致と共に、前記時間情報が、前記会員が前記見合場所に所在する時間に含まれるか否かを判定する請求項２または３記載の見合支援装置。
【請求項５】
コンピュータを、
異性との交際を希望する会員の登録した氏名を含む会員情報が表示された確認用画面を、前記会員が操作する端末装置に送信する画面送信手段、
前記会員が見合いのために予約した見合場所に来訪した際に、前記端末装置に表示された前記確認用画面の前記会員情報と前記会員が提示した身分証明書が示す情報との一致を、前記見合場所のスタッフが確認したことによる操作により、前記端末装置から送信された会員本人である旨の確認通知を受信すると、前記会員情報が正しいことを示す情報を前記会員情報に関連付けて記憶手段に格納する会員管理手段として機能させる見合支援プログラム。
【請求項６】
見合支援装置が、異性との交際を希望する会員の登録した氏名を含む会員情報が表示された確認用画面を、前記会員が操作する端末装置に送信するステップと、
前記端末装置が、前記会員が見合いのために予約した見合場所に来訪した際に、前記端末装置に表示された前記確認用画面の前記会員情報と前記会員が提示した身分証明書が示す情報との一致を、前記見合場所のスタッフが確認したことによる操作により、会員本人である旨の確認通知を前記見合支援装置へ送信するステップと、
前記見合支援装置が、前記会員情報が正しいことを示す情報を前記会員情報に関連付けて記憶手段に格納するステップとを含む見合支援方法。
【発明の詳細な説明】
【技術分野】
【０００１】
本発明は、異性との交際を希望する会員の登録した会員情報が正しい情報であるか否かを確認するための見合支援装置および見合支援プログラム並びに見合支援方法に関するものである。
【背景技術】
【０００２】
例えば、異性との交際を希望する者同士をマッチングする技術に関し、特許文献１に記載されたものが知られている。
【０００３】
特許文献１に記載の結婚相手紹介システムは、端末を通じて男女会員双方からマッチングの希望があったとき、管理サーバが、相性診断プログラムに従って、男女会員の個人データに基づいて男女会員双方のマッチングを行い、このデータマッチングの結果、男女会員双方の希望条件が一定の基準を満たしている場合に、電子メールにより男女会員双方の匿名プロフィールによる同時紹介を行うというものである。
【０００４】
このような結婚相手紹介システムでは、会員同士が相手に興味を持つと、実際に会う見合いの段階へ移る。会員とは違う者が店舗に現れても、マッチングにより選ばれた本人か否かがわからない。
例えば、特許文献２に記載の二次元コード利用者認証方法および二次元コード利用者認証システムでは、二次元コード配信サーバが、利用者の端末装置から受信した本人確認情報とサービス内容を表すサービス情報から、二次元コードを生成して、利用者の端末装置に返信するため、利用者が店舗にて、この二次元コードを利用者の端末装置に表示させると、店舗端末装置が、二次元コードを読取り、本人認証情報と、サービス情報とを取り出して、別途、入力された本人確認情報と二次元コードの本人認証情報とを照合・判別している。
【０００５】
このように、利用者の端末装置から受信した本人確認情報とサービス情報とから、二次元コードを生成し、その二次元コードを店舗で表示して本人確認を行うため、店舗にて会員であることが確認できる。
【先行技術文献】
【特許文献】
【０００６】
【特許文献１】特開２００２−１５０５２号公報
【特許文献２】特開２００６−４８３９０号公報
【発明の概要】
【発明が解決しようとする課題】
【０００７】
特許文献２に記載の二次元コード利用者認証方法および二次元コード利用者認証システムでは、二次元コードが、二次元コード配信サーバから利用者の端末装置へ送信される。しかし、二次元コード配信サーバに利用者の端末装置から送信された本人確認情報が、悪意ある者によって偽った情報が送信されても、結局は、偽った情報に基づいて二次元コードが生成されるため、認証が取れてしまう。
【０００８】
会員登録する際に、会員情報として、氏名や住所、生年月日などの他に、免許証の写し、保険証の写しなどを登録することにより、他人への成り済ましを防止することが考えられるが、免許証や保険証をスキャンしてアップロードすることは面倒である。従って、会員になろうとする者は、気軽に会員となることを控えてしまうおそれがある。
【０００９】
そこで本発明は、気軽に会員になることを促進することができ、確実に本人であることが確認できる見合支援装置および見合支援プログラム並びに見合支援方法を提供することを目的とする。
【課題を解決するための手段】
【００１０】
本発明の見合支援装置は、異性との交際を希望する会員が登録した氏名を含む会員情報が格納される記憶手段と、前記会員情報が表示された確認用画面を、前記会員が操作する端末装置に送信する画面送信手段と、前記会員が見合いのために予約した見合場所に来訪した際に、前記端末装置に表示された前記確認用画面の前記会員情報と前記会員が提示した身分証明書が示す情報との一致を、前記見合場所のスタッフが確認したことによる操作により、前記端末装置から送信された会員本人である旨の確認通知を受信すると、前記会員情報が正しいことを示す情報を前記会員情報に関連付けて前記記憶手段に格納する会員管理手段とを備えたことを特徴とする。
【００１１】
また、本発明の見合支援プログラム、コンピュータを、異性との交際を希望する会員の登録した氏名を含む会員情報が表示された確認用画面を、前記会員が操作する端末装置に送信する画面送信手段、前記会員が見合いのために予約した見合場所に来訪した際に、前記端末装置に表示された前記確認用画面の前記会員情報と前記会員が提示した身分証明書が示す情報との一致を、前記見合場所のスタッフが確認したことによる操作により、前記端末装置から送信された会員本人である旨の確認通知を受信すると、前記会員情報が正しいことを示す情報を前記会員情報に関連付けて記憶手段に格納する会員管理手段として機能させることを特徴とする。
【００１２】
更に、本発明の見合支援方法は、見合支援装置が、異性との交際を希望する会員の登録した氏名を含む会員情報が表示された確認用画面を、前記会員が操作する端末装置に送信するステップと、前記端末装置が、前記会員が見合いのために予約した見合場所に来訪した際に、前記端末装置に表示された前記確認用画面の前記会員情報と前記会員が提示した身分証明書が示す情報との一致を、前記見合場所のスタッフが確認したことによる操作により、会員本人である旨の確認通知を前記見合支援装置へ送信するステップと、前記見合支援装置が、前記会員情報が正しいことを示す情報を前記会員情報に関連付けて記憶手段に格納するステップとを含むことを特徴とする。
【００１３】
本発明によれば、見合場所のスタッフが端末装置に表示された確認用画面の会員情報と会員が提示した身分証明書が示す情報との一致を確認し、見合場所のスタッフが確認したことによる操作により、会員本人である旨の確認通知を端末装置から見合支援装置へ送信し、会員情報が正しいことを示す情報を見合支援装置が会員情報に関連付けて記憶手段に格納する。そのため、会員登録で、免許証の写し、保険証の写しなどを登録しなくても、見合いを行う段階で、見合場所のスタッフという第三者が、身分証明書に基づいて会員本人であるか否かの確認を取るため、会員の会員情報に誤りが無いことが確認できる。
【００１４】
前記会員情報に関連付けて前記見合場所に来訪する会員を認証するための認証コードを発行する発行手段と、前記端末装置に表示された入力用画面であり、前記発行手段が発行した認証コードを入力するための入力用画面から送信された認証コードが、前記発行手段が発行した認証コードと一致するか否かを判定し、一致したときに、前記画面送信手段に前記確認用画面を前記端末装置に送信するよう指示する確認手段とを備えることができる。
【００１５】
男性会員および女性会員が来訪したことを、男性会員および女性会員が知らず、見合場所のスタッフのみが知っている認証コードを使用することで、男性会員または女性会員により偽造を防止することができる。
【００１６】
前記記憶手段には、前記見合場所の所在地を示す位置情報が格納され、前記確認手段は、前記認証コードと、更に、前記端末装置の所在を示す測位情報とが、前記端末装置から送信されると、前記認証コードの一致と共に、前記測位情報と前記位置情報とが一致したか否かを判定することができる。端末装置を携行する会員が、見合場所に所在して認証コードにより認証を得たものか否かを判定することができる。
【００１７】
前記確認手段は、前記認証コードと、更に、時刻を示す時間情報とが、前記端末装置から送信されると、前記認証コードの一致と共に、前記時間情報が、前記会員が前記見合場所に所在する時間に含まれるか否かを判定することができる。端末装置を携行する会員が、予定された時間にて、認証を得たものか否かを判定することができる。
【発明の効果】
【００１８】
本発明によれば、見合いを行う段階で、見合場所のスタッフという第三者が、会員本人であるか否かの確認を取ることができるため、気軽に会員になることを促進することができ、確実に本人であることが確認できる。
【図面の簡単な説明】
【００１９】
【図１】本発明の実施の形態に係る見合支援システムの構成を説明するための図である。
【図２】図１に示す見合支援システムの見合支援装置の構成を説明するための図である。
【図３】図１に示す見合支援システムの動作を説明するための図である。
【図４】会場の予約完了時に端末装置に表示される予約完了画面の一例を示す図である。
【図５】会員情報に誤りがあるときに会員情報を修正するための編集画面の一例を示す図である。
【図６】会員に予約した内容を連絡する際の電子メールの一例を示す図である。
【図７】飲食店のスタッフに認証コードを入力させる入力用画面の一例を示す図である。
【図８】飲食店のスタッフに会員が本人であることを見合支援装置へ通知するための確認用画面の一例を示す図である。
【発明を実施するための形態】
【００２０】
本発明の実施の形態に係る見合支援システムを例に、図面に基づいて説明する。
図１に示す見合支援システム１０は、結婚支援会社が運営する結婚支援サービスに入会した会員であり、異性との交際を望む会員の見合いを支援する見合支援装置２０と、結婚支援サービスの会員が操作する端末装置３０（男性会員が操作する端末装置３０ｍ，女性会員が操作する端末装置３０ｗ）と、結婚支援サービスのスタッフが操作する端末装置４０と、会員が利用する見合場所として飲食店Ｒに設置された端末装置５０とを備えたものである。
見合支援装置２０と、端末装置３０ｍ，３０ｗ，４０，５０とは、電気通信回線の一例であるインターネットＷに通信可能に接続されている。
【００２１】
見合支援装置２０は、見合支援プログラムが動作するコンピュータである。
図２に示すように、見合支援装置２０は、通信手段２１と、マッチング手段２２と、予約手段２３と、画面送信手段２４と、発行手段２５と、確認手段２６と、会員管理手段２７と、記憶手段２８とを備えている。
【００２２】
通信手段２１は、インターネットＷから受信した情報や通知を、見合支援装置２０の各手段に出力したり、各手段からの情報を入力してインターネットＷへ出力したりする。
マッチング手段２２は、会員が操作する端末装置３０（例えば、男性会員の端末装置３０ｍ）から送信された希望条件に基づいて記憶手段２８に格納された会員情報を検索し、この希望条件に該当する異性の会員情報を端末装置３０へ送信する。
また、マッチング手段２２は、交際を希望する異性の会員が操作する端末装置３０に向けてメッセージを送信したり、その応答を受信したりして、見合いの合意を取るものである。
【００２３】
予約手段２３は、見合いを行う飲食店の空き状況を端末装置３０に提供し、予約を取り、端末装置３０に予約した旨の予約情報を送信する。
画面送信手段２４は、会員が操作するそれぞれの端末装置３０に、発行手段２５が発行した認証コードを入力するための入力用画面を送信したり、会員情報が表示された確認用画面を送信したりする。
【００２４】
発行手段２５は、予約手段２３が飲食店の予約をするときに、会員情報に関連付けて飲食店に来訪する会員を認証するための認証コードを発行する。認証コードは、８桁の数字とすることができる。また、認証コードは、数字とアルファベットとの組み合わせとすることも可能である。
【００２５】
確認手段２６は、端末装置３０に表示された入力用画面であり、発行手段２５が発行した認証コードを入力するための入力用画面から送信された認証コードが、発行手段２５が発行した認証コードと一致するか否かを判定し、一致したときに、画面送信手段２４に確認用画面を端末装置３０に送信するよう指示する。
【００２６】
会員管理手段２７は、会員登録の際に入力された会員に関する情報を会員情報として記憶手段２８に格納する。また、会員管理手段２７は、端末装置３０から送信された会員本人である旨の確認通知を受信すると、会員情報が正しいことを示す情報を会員情報に関連付けて記憶手段２８に格納する。
【００２７】
記憶手段２８は、ＯＳやアプリケーションソフト、設定情報、会員情報、見合場所情報などが格納された不揮発性の大容量メモリである。記憶手段２８は、ハードディスクドライブやフラッシュメモリとすることができる。
【００２８】
ここで、記憶手段２８に格納される会員情報と見合場所情報とについて説明する。
会員情報は、会員の氏名を示す氏名情報、性別を示す性別情報、生年月日を示す生年月日情報、住所を示す住所情報、連絡先を示す電話番号情報とメールアドレス情報、学歴を示す学歴情報、勤務先を示す会社情報、年収を示す年収情報、体格を示す身長情報および体重情報、血液型を示す血液型情報、希望する異性の条件を示す希望条件情報、会員を特定する会員コードなどが含まれる。
【００２９】
希望条件情報は、希望の年齢範囲を示す年齢条件情報、希望の住所範囲を示す住所条件情報、希望の年収を示す年収条件情報、希望の体格を示す体格条件情報、希望の血液型を示す血液型条件情報、希望の星座を示す星座条件情報などが含まれる。
【００３０】
見合場所情報は、見合場所名示す見合場所名情報、見合場所の連絡先を示す電話番号情報とファクシミリ番号情報とメールアドレス情報、見合場所の所在地を示す位置情報、料理の種類を示すメニュー情報などが含まれる。
【００３１】
次に、端末装置３０について説明する。
図１に示す端末装置３０（端末装置３０ｍ，３０ｗ）は、会員が携行することができ、無線通信によりインターネットＷと通信可能なスマートフォンやタブレット型のコンピュータとすることができる。端末装置３０は、閲覧ソフトを使用して見合支援装置２０にアクセスして、見合支援装置２０が提供する画面を表示するようにしてもよいし、独自のアプリケーションソフトにより画面を生成して、見合支援装置２０が提供する情報を表示するようにしてもよい。また、端末装置３０は、電子メールを送受信する機能を備えている。
【００３２】
次に、端末装置４０，５０について説明する。
図１に示す端末装置４０，５０は、スマートフォンやタブレット型のコンピュータとする以外に、ノートブック型やデスクトップ型のコンピュータとすることができる。
端末装置４０，５０も端末装置３０と同様に、閲覧ソフトを使用して見合支援装置２０にアクセスして、見合支援装置２０が提供する画面を表示する機能や、電子メールを送受信する機能を備えている。
【００３３】
以上のように構成された本発明の実施の形態に係る見合支援システムの動作について、図面に基づいて説明する。
まず、本実施の形態では、図２に示す会員管理手段２７により、図１に示す端末装置３０ｍ，３０ｗを操作した会員（男性会員、女性会員）が会員登録を完了しており、登録が完了した会員情報は記憶手段２８に格納されているものとする。また、マッチング手段２２により会員が希望条件の合う異性の会員を見つけたものとする。更に、会員は、予約手段２３により見合い場所に好適な飲食店を見つけ、見合日時（予約日時）、料理（コース）、費用を選んで、予約したものとする。
【００３４】
なお、本明細書においては、「端末装置３０」と表記したときには、男性会員が操作する「端末装置３０ｍ」、女性会員が操作する「端末装置３０ｗ」のいずれか一方、または両方を指す場合がある。
【００３５】
図３に示すように、男性会員または女性会員のいずれかが代表して、端末装置３０を操作して、予約手段２３から送信された予約画面（図示せず）を通じて飲食店の予約をすると、発行手段２５が、飲食店名を示す会場情報、見合日時（予約日時）を示す予約日時情報、料理（コース）を示す料理情報、費用を示す会費情報と、見合い内容を特定する予約コードとが含まれる見合情報と、飲食店に来訪する会員を認証するための認証コードと発行する（ステップＳ１０）。
見合情報は、会場情報と、予約日時情報と、料理情報と、会費情報とが予約コードに関連付けられ、この見合情報と、認証コードとが、男性会員および女性会員の会員情報と関連付けられて、記憶手段２８に格納される。
【００３６】
また、予約手段２３は、予約完了画面が端末装置３０に送信する。図４に示す予約完了画面Ｐ１では、見合情報Ｊ１（予約コードＣ１，予約日時情報，会場情報，料理情報，会費情報）が表示されている。また、予約完了画面Ｐ１では、会場にて会員本人の確認を身分証明書にて行う旨のメッセージＭ１が表示されている。そして、予約完了画面Ｐ１には、会員情報Ｊ２（氏名情報Ｊ２１，性別情報Ｊ２２，生年月日情報Ｊ２３）が表示されている。
このように、予約完了画面Ｐ１にて、会場にて身分証明書により会員本人か否かが確認される旨のメッセージが表示され、会員に対して注意が促される。従って、会員が見合場所である飲食店に来訪したときに身分証明書を持参しないために、見合いが中止されてしまうことを回避することができる。
【００３７】
更に、予約完了画面Ｐ１に、「閉じる」ボタンＢ１１と、「修正する」と表示された修正ボタンＢ１２とが表示されている。
会員情報に誤りがなければ「閉じる」ボタンＢ１１が押下され、誤りが発見され、修正する場合には、修正ボタンＢ１２が押下される。
例えば、会員情報を修正するために、修正ボタンＢ１２が押下されると、会員管理手段２７は、編集画面を端末装置３０に送信する。例えば、図５に示すような編集画面Ｐ２が端末装置３０に表示される。
【００３８】
編集画面Ｐ２は、氏名情報を入力させる氏名入力欄Ｒ２１と、性別欄Ｒ２２と、生年月日入力欄Ｒ２３とを備えている。飲食店のスタッフは、会員から提示された身分証明書に基づいて会員氏名または生年月日を修正して、「送信」と表示された送信ボタンＢ２を押下する。
送信ボタンＢ２の押下により端末装置３０から見合支援装置２０へ送信された修正情報に基づいて見合支援装置２０の会員管理手段２７は、記憶手段２８に格納された会員情報を修正する。
このようにして、会員情報が誤って登録されていても、会員は会員情報を正しい情報に修正することができる。
【００３９】
また、見合支援装置２０の予約手段２３は、予約した内容を、例えば、電子メールにて連絡する。図６に示すように、電子メールＭ２は、会員情報の一部としての氏名情報Ｊ２１、見合情報Ｊ１と、と、認証コードを入力するための入力用画面へのリンクとなるアドレス情報Ｌ（ＵＲＬ）とが掲載されており、双方の会員がアカウントを有するメールサーバ（図示せず）に送信される（ステップＳ２０）。
【００４０】
そして、結婚支援サービスを提供するスタッフは、会員同士の交流を把握する必要があることから、予約手段２３は、図６に示す電子メールＭ２と同様に、双方の氏名情報Ｊ２１、見合情報Ｊ１と、電子メールＭ２には掲載されていない認証コードとを、結婚支援サービスを提供するスタッフが操作する端末装置４０へ送信する（ステップＳ３０）。
【００４１】
端末装置４０を操作するスタッフは、見合支援装置２０からの見合情報を見て、飲食店に連絡する。連絡は、端末装置４０から飲食店が有するメールアカウントに電子メールで送信してもよいし、ファクシミリにて飲食店に送信してもよいし、電話にて飲食店のスタッフに予約の内容について告げてもよい。このとき、スタッフは、飲食店からの問い合わせ先として、結婚支援サービスを提供する結婚支援会社のサポートセンターとすることができる（ステップＳ４０）。
【００４２】
飲食店への連絡を電子メールにて行うときには、飲食店のスタッフは、端末装置５０を操作して、図示しないメールサーバから電子メールを閲覧する。
また、飲食店への連絡を電子メールにて行うのであれば、見合支援装置２０が直接、飲食店のメールアカウントへ送信するようにしてもよい。そうすることで、結婚支援サービスのスタッフは飲食店への連絡を省略することができる。
【００４３】
飲食店のスタッフは、見合情報と、認証コードの連絡により、見合いの準備を行う。
【００４４】
男性会員および女性会員は、見合場所である飲食店に来訪したときに、端末装置３０ｍ，３０ｗのそれぞれを操作して、図６に示す電子メールＭ２を閲覧して、認証コードを入力するための入力用画面へのリンクとなるアドレス情報Ｌ（ＵＲＬ）に基づいてアクセスする。
このＵＲＬは、見合支援装置２０が提供する入力用画面を指すものであり、端末装置３０ｍ，３０ｗからアクセスされることで、見合支援装置２０の画面送信手段２４は、通信手段２１を介して入力用画面を端末装置３０ｍ，３０ｗへ送信する（ステップＳ５０）。
【００４５】
端末装置３０ｍ，３０ｗでは、見合支援装置２０からの入力用画面を受信して表示する（ステップＳ６０）。図７に示す入力用画面Ｐ３は、発行手段２５が発行した認証コードを入力するための入力欄Ｒ３を備えている。入力用画面Ｐ３は、男性会員が操作する端末装置３０ｍに表示された画面である。女性会員が操作する端末装置３０ｗにも、同様に、入力用画面に入力欄が表示されている。
【００４６】
男性会員および女性会員は、端末装置３０ｍ，３０ｗに表示された入力用画面Ｐ３を飲食店のスタッフに提示する。
飲食店のスタッフは、見合情報Ｊ１の予約コードＣ１から予約内容を把握することができるため、予約した会員が来訪したことがわかり、料理の準備を開始することができる。
また、男性会員および女性会員は、飲食店のスタッフに結婚支援企業のスタッフから連絡を受けた認証コードを入力させる（ステップＳ７０）。
そして、男性会員および女性会員が、入力用画面Ｐ３の「送信」と表示された送信ボタンＢ３を押下（タップ）することで、端末装置３０ｍ，３０ｗが、入力用画面Ｐ３の入力欄Ｒ３に入力された認証コードを、会員を特定する会員コードと共に、見合支援装置２０へ送信する（ステップＳ８０）。
【００４７】
見合支援装置２０では、確認手段２６が、入力用画面Ｐ３から送信された認証コードが、発行手段２５が発行して記憶手段２８に格納された認証コードと一致するか否かを判定する（ステップＳ９０）。
【００４８】
このように、まず、男性会員および女性会員が知らず、飲食店のスタッフのみが知っている認証コードを使用して、男性会員本人および女性会員本人が来訪したことを認証することで、男性会員または女性会員による偽造を防止することができる。
また、認証コードだけで飲食店を予約した会員を認証するため、早い段階から余計な個人情報を飲食店のスタッフに提示しなくてもよい。
【００４９】
確認手段２６が不一致であると判定した場合には、再度、認証コードを送信する旨のメッセージを含む入力用画面を端末装置３０ｍ，３０ｗへ送信する（ステップＳ１００）。そうすることで、端末装置３０ｍ，３０ｗに再入力を促す入力用画面が表示される（ステップＳ１１０）。
確認手段２６が一致したと判定した場合には、画面送信手段２４に確認用画面を端末装置３０ｍ，３０ｗに送信するよう指示する（ステップＳ１２０）。
【００５０】
ここで、認証コードにより会員が見合支援装置２０を通じて予約したことを確認するだけでなく、認証コードによる認証が会員の来訪であることが確認できることについて説明する。
例えば、端末装置３０ｍ，３０ｗが、認証コードを見合支援装置２０に送信するときに、更に、端末装置３０ｍ，３０ｗに内蔵されたＧＰＳ等の測位手段により測位された端末装置３０ｍ，３０ｗの所在を示す測位情報を送信する。
【００５１】
確認手段２６は、認証コードと、測位情報と、会員コードとが、端末装置３０ｍ，３０ｗから送信されると、記憶手段２８から会員コードに関連付けられた予約情報から飲食店を割り出し、この飲食店の所在地を示す位置情報を読み出す。
【００５２】
そして、確認手段２６は、認証コードの一致と共に、測位情報と位置情報とが一致したか否かを判定する。そうすることで、端末装置３０ｍ，３０ｗを携行する会員が、飲食店に所在して、認証コードにより認証を得たものか否かを判定することができる。
【００５３】
次に、認証コードによる認証が、会員が予約した飲食店に所在する時間であることが確認できることについて説明する。
例えば、端末装置３０ｍ，３０ｗが、認証コードを見合支援装置２０に送信するときに、更に、端末装置３０ｍ，３０ｗに内蔵された時計手段による時間情報を送信する。
【００５４】
確認手段２６は、認証コードと、時間情報と、会員コードとが、端末装置３０ｍ，３０ｗから送信されると、記憶手段２８から会員コードに関連付けられた見合情報の予約日時情報から飲食店の見合日時（予約日時）を割り出す。
【００５５】
そして、確認手段２６は、時間情報が示す時刻が、予約日時の前後１時間の範囲内か否かを判定する。そうすることで、端末装置３０ｍ，３０ｗを携行する会員が、予定された時間にて、認証コードにより認証を得たものか否かを判定することができる。
なお、本実施の形態では、会員が飲食店に所在する時間として、予約日時の前後１時間の範囲としているが、前後３０分としたり、予定時間内としたり、時間の範囲は任意に設定することができる。
【００５６】
このように、認証コードだけでなく、測位情報や時間情報により、会員の認証を取ることにより、悪意ある者が認証コードに対して総当たり攻撃により認証を得ようとしても、認証を阻止することができる。
【００５７】
端末装置３０ｍ，３０ｗでは、見合支援装置２０からの確認用画面が表示される（ステップＳ１３０）。例えば、図８に示すような確認用画面Ｐ４とすることができる。
確認用画面Ｐ４には、会員情報Ｊ２として、氏名情報Ｊ２１と、性別情報Ｊ２２と、生年月日情報Ｊ２３が表示されている。また、確認用画面Ｐ４には、会員情報Ｊ２が正しいときに飲食店のスタッフが押下（タップ）するための確認ボタンＢ４１と、会員本人の確認が取れないため見合いを中止とするために、「キャンセル」と表示された中止ボタンＢ４２とが表示されている。
【００５８】
端末装置３０ｍ，３０ｗにて、確認用画面Ｐ４が表示されると、会員は、この確認用画面Ｐ４を飲食店のスタッフに提示すると共に、身分証明書を提示する（ステップＳ１４０）。
身分証明書は、運転免許証、パスポート（旅券）、健康保険被保険者証、マイナンバーカードなど、氏名と生年月日が確認できる公的機関が発行する証明書であればよい。
【００５９】
飲食店のスタッフは、端末装置に表示された確認用画面Ｐ４の会員情報と会員が提示した身分証明書が示す情報との一致を確認する。そして、飲食店のスタッフは、確認用画面Ｐ４の会員情報と会員が提示した身分証明書が示す情報とが一致することを確認したことによる操作として、「確認した」と表示された確認ボタンＢ４１を押下する。この確認は、男性会員および女性会員の双方に対して行い、端末装置３０ｍ，３０ｗのそれぞれに対して確認ボタンＢ４１を押下する（ステップＳ１５０）。
【００６０】
確認ボタンＢ４１が押下されたことで、端末装置３０ｍ，３０ｗから会員本人である旨の確認通知が見合支援装置２０へ送信される（ステップＳ１６０）。
見合支援装置２０では、会員管理手段２７が、会員情報が正しいことを示す情報を会員情報に関連付けて記憶手段２８に格納することで、会員情報を認証する（ステップＳ１７０）。
会員管理手段２７は、確認が完了した旨の完了画面を端末装置３０ｍ，３０ｗへ送信する。端末装置３０ｍ，３０ｗでは、見合支援装置２０からの完了画面を表示する（ステップＳ１８０）。
このようにして会員の認証が得られれば、会員は飲食店での見合いを開始することができる。
【００６１】
一方、端末装置に表示された確認用画面Ｐ４の会員情報と会員が提示した身分証明書が示す情報とが相違するときには、飲食店のスタッフは、「キャンセル」と表示された中止ボタンＢ４２を押下する。
中止ボタンＢ４２の押下により端末装置３０から見合支援装置２０へ相違した旨の通知が送信される。見合支援装置２０では、会員管理手段２７が、会員情報と相違することを示す情報を会員情報に関連付けて記憶手段２８に格納する。
飲食店のスタッフは、見合いを予定した会員に、認証が得られなかったことを告げ、見合いは中止であることを告げる。
このようにして会員の認証が得られなければ、見合いは中止となる。
【００６２】
このように、会員が結婚支援サービスを受ける際の会員登録で、免許証の写し、保険証の写しなどを登録しなくても、見合いを行う段階で、飲食店のスタッフという第三者により会員本人であるか否かの確認が取れる。
従って、見合支援装置２０は、気軽に会員になることを促進することができ、確実に本人であることが確認できる。
そのため、悪意あるものが他人に成り済まして、異性との不正な交際をしようとしたり、異性から金品を騙し取ろうとしたりすることが防止できる。
また、飲食店のスタッフが会員本人の確認を行うため、結婚支援サービスを運営する運営会社からスタッフを見合い場所に派遣する必要がないため人件費を抑えることができる。
【００６３】
ステップＳ１３０の段階で、飲食店のスタッフが、図８に示す会員情報Ｊ２（氏名情報Ｊ２１と、性別情報Ｊ２２と、生年月日情報Ｊ２３）の相違を見つけた場合には、図８に示す確認用画面Ｐ４Ｐ２に「修正する」と表示された修正ボタンを設け、図５に示す編集画面Ｐ２により会員情報を修正するようにしてもよい。
【００６４】
なお、本実施の形態では、男性会員と女性会員が一対一で見合いをすることを例に説明したが、本発明は、例えば、二対二や、三対三以上など、複数組が同時に見合いを行う場合でも適用することが可能である。
また、見合場所として飲食店を例に説明したが、見合場所は飲食を伴わない場所であってもよい。
【産業上の利用可能性】
【００６５】
本発明は、異性と交際を希望する会員が見合場所を予約して見合いを行う際に好適である。
【符号の説明】
【００６６】
１０  見合支援システム
２０  見合支援装置
２１  通信手段
２２  マッチング手段
２３  予約手段
２４  画面送信手段
２５  発行手段
２６  確認手段
２７  会員管理手段
２８  記憶手段
３０，３０ｍ，３０ｗ，４０，５０  端末装置
Ｗ  インターネット
Ｍ１  メッセージ
Ｍ２  電子メール
Ｐ１  予約完了画面
Ｐ２  編集画面
Ｐ３  入力用画面
Ｐ４  確認用画面
Ｒ  飲食店
Ｒ２１  氏名入力欄
Ｒ２２  性別欄
Ｒ２３  生年月日入力欄
Ｒ３  入力欄
Ｃ１  予約コード
Ｊ１  見合情報
Ｊ２  会員情報
Ｊ２１  氏名情報
Ｊ２２  性別情報
Ｊ２３  生年月日情報
Ｂ１１  「閉じる」ボタン
Ｂ１２  修正ボタン
Ｂ２，Ｂ３  送信ボタン
Ｂ４１  確認ボタン
Ｂ４２  中止ボタン
Ｌ  アドレス情報
【図１】
2020086467.tif 000003
【図２】
2020086467.tif 000004
【図３】
2020086467.tif 000005
【図４】
2020086467.tif 000006
【図５】
2020086467.tif 000007
【図６】
2020086467.tif 000008
【図７】
2020086467.tif 000009
【図８】
2020086467.tif 000010